(57)【要約】【課題】定着装置において、照射部により光を照射された搬送部材が加熱されることを抑制する。【解決手段】定着装置５０は、トナー像が形成された用紙ｐにレーザ光を照射する照射部１０１と、用紙ｐを搬送路ｒに沿って搬送する搬送ベルト１０５とを有する。搬送ベルト１０５は、基材１０５１ａと基材１０５１ａに分散された分散材１０５１ｂとを含む基材層１０５１を有し、照射部１０１により照射されたレーザ光の反射率が用紙ｐ以上である。【選択図】図３
2014074845.tif 000002
【特許請求の範囲】
【請求項１】
光を吸収して定着される画像形成材料による画像が形成された記録媒体に光を照射する照射部と、
基材と前記基材に分散された分散材とを含み前記光が照射される第１の層を有し、前記記録媒体を搬送する搬送部材であって、前記照射部により照射された光の反射率が前記記録媒体以上である搬送部材と
を有する定着装置。
【請求項２】
光を吸収して定着される画像形成材料による画像が形成された記録媒体に光を照射する照射部と、
基材と前記基材に分散された分散材とを含み前記光が照射される第１の層を有し、前記記録媒体を搬送する搬送部材であって、前記照射部により照射された光の反射率が前記基材のみを含む層に比べて高い搬送部材と
を有する定着装置。
【請求項３】
前記分散材の屈折率が、前記基材の屈折率とは異なる
ことを特徴とする請求項１または２に記載の定着装置。
【請求項４】
前記分散材の電気伝導率は、前記基材の電気伝導率に比べて高い
ことを特徴とする請求項１ないし３のいずれか一項に記載の定着装置。
【請求項５】
前記分散材は、酸化チタンである
ことを特徴とする請求項３または４に記載の定着装置。
【請求項６】
前記搬送部材は、前記第１の層を透過した前記光を反射する第２の層を有する
ことを特徴とする請求項１ないし５のいずれか一項に記載の定着装置。
【請求項７】
前記搬送部材は、前記記録媒体を支持するベルトである
ことを特徴とする請求項１ないし６のいずれか一項に記載の定着装置。
【請求項８】
前記第１の層は、白色である
ことを特徴とする請求項１ないし７のいずれか一項に記載の定着装置。
【請求項９】
基材と、
前記基材に分散され、屈折率が前記基材の屈折率とは異なる分散材と
を有し、
前記基材と前記分散材とによる光の反射率が記録媒体以上である搬送部材。
【請求項１０】
光を吸収して定着される画像形成材料による画像を記録媒体に転写する転写部と、
前記転写部により前記画像が転写された記録媒体に光を照射する照射部と、
基材と前記基材に分散された分散材とを含み前記光が照射される第１の層を有し、前記記録媒体を搬送する搬送部材であって、前記照射部により照射された光の反射率が前記記録媒体以上である搬送部材と
を有する画像形成装置。
【請求項１１】
光を吸収して定着される画像形成材料による画像を記録媒体に転写する転写部と、
前記転写部により前記画像が転写された記録媒体に光を照射する照射部と、
基材と前記基材に分散された分散材とを含み前記光が照射される第１の層を有し、前記記録媒体を搬送する搬送部材であって、前記照射部により照射された光の反射率が前記基材のみを含む層に比べて高い搬送部材と
を有する画像形成装置。
【発明の詳細な説明】
【技術分野】
【０００１】
本発明は、定着装置、搬送部材および画像形成装置に関する。
【背景技術】
【０００２】
トナー像が形成された記録媒体にレーザ光を照射してトナーを記録媒体に定着させる定着装置が知られている。特許文献１には、レーザ光を透過する性質を有する搬送ベルトを用いることにより、搬送ベルトがレーザ光を照射されて破損することを抑制する技術が記載されている。特許文献２には、レーザ光を熱に変換する光吸収層を画像記録媒体の表面に設けることにより、トナーを画像記録媒体に均一に定着させることが記載されている。特許文献２には、また、レーザ光が照射されて加熱された除去ローラを画像記録媒体に接触させることにより、画像記録媒体に定着したトナー像を除去することが記載されている。
【先行技術文献】
【特許文献】
【０００３】
【特許文献１】特開２０１１−１０７６５８号公報
【特許文献２】特開２０１０−２４３５９６号公報
【発明の概要】
【発明が解決しようとする課題】
【０００４】
本発明は、定着装置において、照射部により光を照射された搬送部材が加熱されるのを抑制することを目的とする。
【課題を解決するための手段】
【０００５】
請求項１に係る定着装置は、光を吸収して定着される画像形成材料による画像が形成された記録媒体に光を照射する照射部と、基材と前記基材に分散された分散材とを含み前記光が照射される第１の層を有し、前記記録媒体を搬送する搬送部材であって、前記照射部により照射された光の反射率が前記記録媒体以上である搬送部材とを有する。
【０００６】
請求項２に係る定着装置は、光を吸収して定着される画像形成材料による画像が形成された記録媒体に光を照射する照射部と、基材と前記基材に分散された分散材とを含み前記光が照射される第１の層を有し、前記記録媒体を搬送する搬送部材であって、前記照射部により照射された光の反射率が前記基材のみを含む層に比べて高い搬送部材とを有する。
【０００７】
請求項３に係る定着装置は、請求項１または２に記載の構成において、前記分散材の屈折率が、前記基材の屈折率とは異なることを特徴とする。
【０００８】
請求項４に係る定着装置は、請求項１ないし３のいずれか一項に記載の構成において、前記分散材の電気伝導率は、前記基材の電気伝導率に比べて高いことを特徴とする。
【０００９】
請求項５に係る定着装置は、請求項３または４に記載の構成において、前記分散材は、酸化チタンであることを特徴とする。
【００１０】
請求項６に係る定着装置は、請求項１ないし５のいずれか一項に記載の構成において、前記搬送部材は、前記第１の層を透過した前記光を反射する第２の層を有することを特徴とする。
【００１１】
請求項７に係る定着装置は、請求項１ないし６のいずれか一項に記載の構成において、前記搬送部材は、前記記録媒体を支持するベルトであることを特徴とする。
【００１２】
請求項８に係る定着装置は、請求項１ないし７のいずれか一項に記載の構成において、前記第１の層は、白色であることを特徴とする。
【００１３】
請求項９に係る搬送部材は、基材と、前記基材に分散され、屈折率が前記基材の屈折率とは異なる分散材とを有し、前記基材と前記分散材とによる光の反射率が記録媒体以上である。
【００１４】
請求項１０に係る画像形成装置は、光を吸収して定着される画像形成材料による画像を記録媒体に転写する転写部と、前記転写部により前記画像が転写された記録媒体に光を照射する照射部と、基材と前記基材に分散された分散材とを含み前記光が照射される第１の層を有し、前記記録媒体を搬送する搬送部材であって、前記照射部により照射された光の反射率が前記記録媒体以上である搬送部材とを有する。
【００１５】
請求項１１に係る画像形成装置は、光を吸収して定着される画像形成材料による画像を記録媒体に転写する転写部と、前記転写部により前記画像が転写された記録媒体に光を照射する照射部と、基材と前記基材に分散された分散材とを含み前記光が照射される第１の層を有し、前記記録媒体を搬送する搬送部材であって、前記照射部により照射された光の反射率が前記基材のみを含む層に比べて高い搬送部材とを有する。
【発明の効果】
【００１６】
請求項１および１０に係る発明によれば、搬送部材の光の反射率が記録媒体の光の反射率よりも低い場合に比べて、照射部により光を照射された搬送部材が加熱されるのを抑制することができる。
請求項２および１１に係る発明によれば、搬送部材の光の反射率が基材のみを含む層の光の反射率よりも低い場合に比べて、照射部により光を照射された搬送部材が加熱されるのを抑制することができる。
請求項３および９に係る発明によれば、分散材の屈折率が基材の屈折率と同じである場合に比べて、光を照射された搬送部材が加熱されるのを抑制することができる。
請求項４に係る発明によれば、分散材の電気伝導率が基材の電気伝導率に比べて低い場合に比べて、搬送部材を帯電させやすくすることができる。
請求項５に係る発明によれば、分散材が酸化チタンでない場合に比べて、照射部により光を照射された搬送部材が加熱されるのを抑制することができる。
請求項６に係る発明によれば、照射部により照射された光が搬送部材を透過することを防止することができる。
請求項７に係る発明によれば、第１の層が分散材を含まない場合に比べて、照射部により光を照射されたベルトが加熱されるのを抑制することができる。
請求項８に係る発明によれば、第１の層が白色でない場合に比べて、照射部により光を照射された搬送部材が加熱されるのを抑制することができる。
【図面の簡単な説明】
【００１７】
【図１】画像形成装置の内部構成を示す概略図
【図２】定着装置を搬送方向の上流側から見た断面模式図
【図３】定着装置を幅方向の一方側から見た断面模式図
【図４】搬送ベルトの断面図
【発明を実施するための形態】
【００１８】
図１は、本発明の一実施形態に係る画像形成装置１の内部構成の概略を示す図である。画像形成装置１は、複写機、プリンタ、スキャナ、およびファクシミリなどとして機能する装置である。画像形成装置１は、筐体１００内に、収容部１０、供給ローラ２０、搬送ローラ３０、転写部４０、定着装置５０、および排出ローラ６０を有する。収容部１０は、用紙ｐ（記録媒体の一例）を収容する。供給ローラ２０は、収容部１０に収容された用紙ｐの１枚と接触し、用紙ｐを搬送路ｒ（鎖線）に沿って供給する。搬送ローラ３０は、円筒状の部材であり、円筒の中心を軸として回転し、供給ローラ２０により供給された用紙ｐを搬送する。用紙ｐは搬送ローラ３０によって搬送されて転写部４０を通過する。転写部４０は、搬送ローラ３０により搬送された用紙ｐにトナー像（画像の一例）を転写する。定着装置５０は、転写部４０により転写されたトナー像を光を照射することにより加熱して用紙ｐに定着させる。排出ローラ６０は、トナー像が定着した用紙ｐを画像形成装置１から排出する。
【００１９】
転写部４０は、感光体ドラム４０１、帯電器４０２、露光装置４０３、現像装置４０４、トナーカートリッジ４０５、中間転写ベルト４０６、回転ローラ４０７、一次転写ローラ４０８、二次転写ローラ４０９、およびバックアップローラ４１０を有する。感光体ドラム４０１は、外周面に光導電膜を積層した円筒状の部材であり、円筒の中心を軸として回転するように支持される。感光体ドラム４０１は、中間転写ベルト４０６と接触するように配置され、中間転写ベルト４０６の移動に伴って、図中の矢印Ａ１の方向に回転する。帯電器４０２は、例えばスコロトロン帯電器であり、感光体ドラム４０１の光導電膜を予め定められた電位に帯電させる。露光装置４０３は、帯電器４０２により帯電させられた感光体ドラム４０１を露光して、静電潜像を形成する。現像装置４０４は、Ｙ（Yellow）、Ｍ（Magenta）、Ｃ（Cyan）、Ｋ（Black）のいずれかの色のトナーと、フェライト粉などの磁性体キャリアとを含む二成分現像剤を収容する。現像装置４０４は、感光体ドラム４０１上に形成された静電潜像にトナーを付着させてトナー像を形成する。現像装置４０４は、トナー補給路を介してトナーカートリッジ４０５に接続され、図示せぬディスペンスモータの回転駆動によりトナーカートリッジ４０５からトナーの補給を受ける。中間転写ベルト４０６は、無端のベルト状の部材であり、図中の矢印Ａ２の方向に回転する。回転ローラ４０７は、中間転写ベルト４０６の移動を支持する円筒状の部材であり、円筒の中心を軸として回転する。一次転写ローラ４０８は、中間転写ベルト４０６を挟んで感光体ドラム４０１と対向する円筒状の部材である。一次転写ローラ４０８は、図示せぬ電源から転写バイアスを印加され、感光体ドラム４０１との間に電位差を生じさせて、感光体ドラム４０１の表面のトナー像を中間転写ベルト４０６の表面に転写する。二次転写ローラ４０９は、中間転写ベルト４０６を挟んでバックアップローラ４１０と対向する円筒状の部材である。二次転写ローラ４０９は、図示せぬ電源から転写バイアスを印加され、バックアップローラ４１０との間に電位差を生じさせて、中間転写ベルト４０６の表面のトナー像を用紙ｐに転写する。
【００２０】
画像形成装置１は、また、図示せぬ制御部、通信部、および記憶部を有する。制御部は、上述した画像形成装置１の各部の動作を制御する。制御部は、ＣＰＵ（Central Processing Unit）と、ＲＯＭ（Read Only Memory）と、ＲＡＭ（Random Access Memory）とを有する。通信部は、パーソナルコンピュータまたはファクシミリなどの外部装置と接続し、画像データの送受信を行う。記憶部は、制御部により用いられるデータおよびプログラムを記憶する装置、例えばＨＤＤ（Hard Disk Drive）を有する。以上の構成により、画像形成装置１は、搬送路ｒに沿って用紙ｐを搬送する過程で用紙ｐへのトナー像の形成および定着を行う。以下では、用紙ｐが搬送される方向を単に「搬送方向」といい、搬送方向に直交する方向を「幅方向」という。
【００２１】
図２は、本発明の一実施形態に係る定着装置５０を搬送方向の上流側から見た断面模式図である。図３は、定着装置５０を幅方向の一方側から見た断面模式図である。ｘ軸は幅方向、ｙ軸は搬送方向、ｚ軸は高さ方向を表す。定着装置５０は、照射部１０１、光学部材１０２、反射部材１０３、仕切り部材１０４、および搬送ベルト１０５を有する。
【００２２】
照射部１０１は、搬送ローラ３０により搬送される用紙ｐにレーザ光ＬＢを照射する。照射部１０１は、レーザ光ＬＢを発生させる複数の光源１０１１を有する。光軸ａ１は、レーザ光ＬＢの光軸である。光源１０１１は、図２に示すように、幅方向に沿って間隔ｇで並んでいる。間隔ｇは、用紙ｐのトナー像が形成され得る領域の全体にレーザ光ＬＢが照射されるように決められる。図２において、照射部１０１は、４つの光源１０１１を有する。レーザ光ＬＢの波長は、トナーを溶融させるに足りるエネルギーをトナーに与えられるのであればどのような波長であってもよい。レーザ光ＬＢとしては、例えば、赤外線が用いられる。この場合、現像装置４０４では、赤外線を吸収する材料を混入させたトナーを用いる。
【００２３】
光学部材１０２は、光源１０１１から照射されたレーザ光ＬＢが伝播する方向を制御する部材、例えばレンズである。光学部材１０２は、一の光源１０１１に対して、それぞれ一枚ずつ設けられる。図２では、幅方向に並んだ４つの光源１０１１のそれぞれに対応させて、４枚の光学部材１０２が設けられている。光源１０１１から照射されたレーザ光ＬＢは、光学部材１０２に向かって伝播する。光学部材１０２は、図３に示すように、幅方向から見た断面が凸型を成しており、レーザ光ＬＢを搬送方向に収束させる。光学部材１０２は、搬送方向の照射幅が定められた範囲内（例えば、１．０±０．１ｍｍ）に収まるように、レーザ光ＬＢを収束させる。また、光学部材１０２は、図２に示すように、搬送方向から見た断面が矩形であり、レーザ光ＬＢを幅方向に屈折させることなく透過させる。レーザ光ＬＢは、光学部材１０２を透過すると、反射部材１０３に向かって伝播する。
【００２４】
反射部材１０３は、図２に示すように搬送方向から見た断面が矩形を成しており、図３に示すように幅方向から見た断面がアーチ状を成している。反射部材１０３は、孔１０３１、開口部１０３２、および反射面１０３３を有する。孔１０３１は、光源１０１１から照射されたレーザ光ＬＢを反射部材１０３の内側に通過させる。開口部１０３２は、搬送路ｒと対向しており、反射部材１０３の内側を伝播したレーザ光ＬＢを通過させる。開口部１０３２を通過したレーザ光ＬＢは搬送路ｒ上の幅方向に延びる照射領域Ｄ１に照射される。図３に示す例では、幅方向から見て、光軸ａ１が搬送路ｒとなす角度θは、９０度である。用紙ｐにレーザ光ＬＢが照射されると、用紙ｐの表面のトナー粒子が付着していない領域では、レーザ光ＬＢが反射される。用紙ｐの表面では鏡面反射と拡散反射が生じるので、レーザ光ＬＢはあらゆる方向に反射する。開口部１０３２は、また、用紙ｐの表面で反射された反射光を通過させる。反射面１０３３は、反射部材１０３の内側であって、搬送路ｒと対向する面である。反射面１０３３は、開口部１０３２を通過した反射光を用紙ｐに反射する。反射面１０３３は、レーザ光ＬＢを反射させるための加工が施されている。例えば、反射部材１０３はアルミニウム等の金属で作製され、反射面１０３３が鏡面に研磨されてもよいし、反射面１０３３に銀等でめっきが施されてもよい。反射光は、反射面１０３３で反射されることによって、その一部がトナー粒子に吸収され、残りは再び用紙ｐの表面で反射される。このように、用紙ｐの表面と反射部材１０３の反射面１０３３とでレーザ光ＬＢの反射が繰り返されると、反射面１０３３で反射されたレーザ光ＬＢの一部がトナーに吸収されてトナーの加熱および溶融が促進される。
【００２５】
レーザ光ＬＢにより、加熱されたトナーの一部は昇華して気体となり、これが冷却されて粉塵が発生する場合がある。仕切り部材１０４は、反射部材１０３で囲まれた空間に粉塵が入り込まないように照射部１０１と搬送路ｒとの間を仕切る。仕切り部材１０４は、短辺と長辺とを有する矩形且つ板状の部材であり、光を透過する材料、例えば石英ガラスにより形成される。仕切り部材１０４は、開口部１０３２において、短辺が搬送方向に、長辺が幅方向に沿うように反射部材１０３により支持される。
【００２６】
搬送ベルト１０５（搬送部材の一例）は、用紙ｐを搬送路ｒに沿って搬送する。搬送ベルト１０５は、矢印Ａ３に示す方向に回転する一対の駆動ローラ１０６により駆動される。駆動ローラ１０６ａは搬送路ｒの下流側のローラであり、駆動ローラ１０６ｂは搬送路ｒの上流側のローラである。駆動ローラ１０６ａは図示せぬ電源により回転駆動され、駆動ローラ１０６ｂは駆動ローラ１０６ａの回転に伴って回転する。駆動ローラ１０６が矢印Ａ３に示す方向に回転すると、搬送ベルト１０５は矢印Ａ４に示す方向に回転する。搬送ベルト１０５は、また、照射部１０１により照射されたレーザ光ＬＢを反射する。搬送ベルト１０５によるレーザ光ＬＢの反射率は、用紙ｐによるレーザ光ＬＢの反射率以上である。ここでいう「反射率」とは、鏡面反射と拡散反射とを合わせた反射率を表す。
【００２７】
図４は、搬送ベルト１０５のｙｚ平面における断面図である。搬送ベルト１０５は、基材層１０５１と金属層１０５２とを有する。基材層１０５１（第１の層の一例）は、開口部１０３２と対向する層であり、照射部１０１により照射されたレーザ光ＬＢが照射される。基材層１０５１は、基材１０５１ａと分散材１０５１ｂとを含む。基材１０５１ａは、基材層１０５１の主となる物質である。基材１０５１ａには、耐熱性および可撓性を有する物質、例えば、ポリイミド樹脂、ポリアミド樹脂、またはポリアミドイミド樹脂などの樹脂が用いられる。分散材１０５１ｂは、基材１０５１ａに分散される物質である。分散材１０５１ｂは、分散材１０５１ｂを用いない場合よりも搬送ベルト１０５における光の反射率を高くするために用いられる。さらに、この例では、搬送ベルト１０５は帯電吸着により記録媒体を搬送するので、分散材１０５１ｂは、分散材１０５１ｂを用いない場合よりも搬送ベルト１０５の電気伝導率を高くするために用いられる。すなわち、分散材１０５１ｂとしては、基材１０５１ａと屈折率が異なり、かつ、高電気伝導率である材料が用いられる。具体的には、基材１０５１ａとしては例えば酸化チタンが用いられる。分散材１０５１ｂに酸化チタンが用いられた基材層１０５１は、白色である。
【００２８】
金属層１０５２（第２の層の一例）は、駆動ローラ１０６に接する層であり、基材層１０５１で反射されずに透過したレーザ光ＬＢを反射する。金属層１０５２には、例えば、アルミニウムが用いられる。
【００２９】
（変形例）
本発明は、上述の実施形態に限定されるものではなく、種々の変形実施が可能である。以下、変形例をいくつか説明する。以下で説明する変形例のうち、２つ以上のものが組み合わされて用いられてもよい。
【００３０】
（１）変形例１
分散材１０５１ｂは、酸化チタンに限らない。分散材１０５１ｂには、例えば、炭酸カルシウムまたは硫酸バリウムなどの白色の顔料が用いられてもよい。別の例で、分散材１０５１ｂには、酸化インジウム、二酸化スズ、または酸化亜鉛などの酸化物半導体が用いられてもよい。なお上記いずれの例においても、分散材１０５１ｂとして、複数の物質が併せて用いられてもよい。さらに別の例で、分散材１０５１ｂは、基材１０５１ａと屈折率が異なる物質であれば、必ずしも電気伝導率が基材１０５１ａに比べて高い物質でなくてもよい。
【００３１】
（２）変形例２
金属層１０５２に用いられる金属は、アルミニウムに限らない。金属層１０５２には、例えば、銅、鉄、ニッケル、亜鉛、スズ、クロム、金、銀、またはこれらのうち二つ以上の金属の合金が用いられてもよい。
また、上述の実施形態では第２の層の一例として金属層１０５２を示したが、第２の層は金属層１０５２に限らない。第２の層は、例えば、ポリイミド樹脂、ポリアミド樹脂、またはポリアミドイミド樹脂などの樹脂中にカーボンブラック、カーボンナノチューブ、またはグラファイトなどが分散された層であってもよい。この場合、第２の層は、基材層１０５１で反射されずに透過したレーザ光ＬＢを吸収する。
【００３２】
（３）変形例３
搬送ベルト１０５は、基材層１０５１と金属層１０５２との二層である場合に限らない。搬送ベルト１０５は、基材層１０５１のみの単層であってもよい。別の例で、搬送ベルト１０５は、三層以上であってもよい。例えば、金属層１０５２を支持する層として、シリコーンゴム等の弾性体で構成された弾性層が設けられてもよい。
【００３３】
（４）変形例４
搬送部材は、搬送ベルト１０５に限らない。搬送部材は、例えば、基材層１０５１と金属層１０５２とを有し、用紙ｐを搬送するローラであってもよい。
【００３４】
（５）変形例５
光学部材１０２は、レーザ光ＬＢを搬送方向に収束させるものに限らない。光学部材１０２は、例えば、レーザ光ＬＢを幅方向に拡散させてもよい。この場合、搬送方向から見た断面が凹型のレンズが光学部材１０２として用いられる。別の例で、一の光源１０１１に対して、レーザ光ＬＢを幅方向に拡散させるレンズと、レーザ光ＬＢを搬送方向に収束させるレンズとが設けられてもよい。さらに別の例で、幅方向に沿って並んだ複数の光源１０１１に対応させて、幅方向に沿って延びる一枚の光学部材が設けられても良い。
【００３５】
（６）変形例６
幅方向から見て、光軸ａ１が搬送路ｒとなす角度θは、９０度である場合に限らない。角度θは、９０度よりも小さい値であってもよい。
【００３６】
（７）変形例７
照射部１０１が照射する光はレーザ光ＬＢに限らない。照射部１０１は、例えば、キセノンランプなどのフラッシュランプにより生成される光を用紙ｐに照射してもよい。
【００３７】
（８）その他の変形例
光源１０１１は、搬送方向に１つである場合に限らない。光源１０１１は、搬送方向に複数並んでいてもよい。
実施形態では画像形成材料の例としてトナーを示したが、画像形成材料はインクであっても構わない。この場合、インクが光を照射されて乾燥することにより画像が用紙ｐに定着する。
実施形態では画像形成装置１はカラーの画像を形成するものであったが、モノクロの画像を形成してもよい。
実施形態では用紙ｐが定められた寸法で１ページ分ずつ裁断されたものである例を示したが、用紙ｐは１ページ分に裁断されていない連続紙（連続帳票、連帳紙ともいう）であってもよい。
【符号の説明】
【００３８】
１…画像形成装置、１０…収容部、２０…供給ローラ、３０…搬送ローラ、４０…転写部、４０１…感光体ドラム、４０２…帯電器、４０３…露光装置、４０４…現像装置、４０５…トナーカートリッジ、４０６…中間転写ベルト、４０７…回転ローラ、４０８…一次転写ローラ、４０９…二次転写ローラ、４１０…バックアップローラ、５０…定着装置、６０…排出ロール、１００…筐体、１０１…照射部、１０１１…光源、１０２…光学部材、１０３…反射部材、１０３１…孔、１０３２…開口部、１０３３…反射面、１０４…仕切り部材、１０５…搬送ベルト、１０５１…基材層、１０５２…金属層
【図１】
2014074845.tif 000003
【図２】
2014074845.tif 000004
【図３】
2014074845.tif 000005
【図４】
2014074845.tif 000006